(57)【要約】【課題】対物レンズ駆動装置の動作の信頼性の向上を図る。【解決手段】対物レンズ駆動装置９に、ベース部１２と対物レンズ２６の光軸方向へ突出して設けられた支持軸部１３とを有する固定体１０と、支持軸部の軸方向へ移動自在かつ支持軸部の軸回り方向へ回動自在に支持される可動体１１と、可動体又は固定体の一方に設けられたマグネット２８と、可動体又は固定体の他方に設けられると共にフォーカシングコイル２０とトラッキングコイル２１、２１とから成るコイル体１９と、可動体と固定体とを連結し可動体がフォーカシング方向及びトラッキング方向へ動作されたときに弾性変形されると共にフォーカシング方向に略直交する複数の異なる方向から可動体に張力を付与し可動体をトラッキング方向における中立位置及びフォーカシング方向における中立位置に保持するワイヤー状の複数の弾性部材２９、２９、２９とを設けた。【選択図】　　　　図５
2004139645.tif 000002
【特許請求の範囲】
【請求項１】
ディスクテーブルに装着されるディスク状記録媒体の半径方向へ移動される移動ベースと、該移動ベースに設けられディスク状記録媒体の記録面へ向けてレーザー光を発光する発光部と、移動ベースに設けられディスク状記録媒体の記録面で反射されたレーザー光を戻り光として受光する受光部と、発光部から発光されたレーザー光をディスク状記録媒体の記録面に集光する対物レンズを保持すると共に移動ベースに配置された対物レンズ駆動装置とを備えた光ピックアップであって、
上記対物レンズ駆動装置は、
上記移動ベースに取り付けられたベース部と該ベース部から対物レンズの光軸方向へ突出して設けられた支持軸部とを有する固定体と、
対物レンズを保持し上記支持軸部の軸方向へ移動自在かつ支持軸部の軸回り方向へ回動自在に支持されると共にフォーカシングサーボをかけるときに支持軸部の軸方向へ移動されてディスク状記録媒体の記録面に離接する方向であるフォーカシング方向へ動作されトラッキングサーボをかけるときに支持軸部の軸回り方向へ回動されてディスク状記録媒体の略半径方向であるトラッキング方向へ動作される可動体と、
上記可動体又は固定体の一方に設けられたマグネットと、
上記可動体又は固定体の他方に設けられると共にフォーカシングコイルとトラッキングコイルとから成るコイル体と、
可動体と固定体とを連結し可動体がフォーカシング方向及びトラッキング方向へ動作されたときに弾性変形されると共にフォーカシング方向に略直交する複数の異なる方向から可動体に張力を付与し可動体をトラッキング方向における中立位置及びフォーカシング方向における中立位置に保持するワイヤー状の複数の弾性部材とを備えた
ことを特徴とする光ピックアップ。
【請求項２】
上記弾性部材をエラストマーによって形成した
ことを特徴とする請求項１に記載の光ピックアップ。
【請求項３】
ディスクテーブルに装着されるディスク状記録媒体の半径方向へ移動される移動ベースと、該移動ベースに設けられディスク状記録媒体の記録面へ向けてレーザー光を発光する発光部と、移動ベースに設けられディスク状記録媒体の記録面で反射されたレーザー光を戻り光として受光する受光部と、発光部から発光されたレーザー光をディスク状記録媒体の記録面に集光する対物レンズを保持すると共に移動ベースに配置された対物レンズ駆動装置とを有する光ピックアップを備えたディスクドライブ装置であって、
上記対物レンズ駆動装置は、
上記移動ベースに取り付けられたベース部と該ベース部から対物レンズの光軸方向へ突出して設けられた支持軸部とを有する固定体と、
対物レンズを保持し上記支持軸部の軸方向へ移動自在かつ支持軸部の軸回り方向へ回動自在に支持されると共にフォーカシングサーボをかけるときに支持軸部の軸方向へ移動されてディスク状記録媒体の記録面に離接する方向であるフォーカシング方向へ動作されトラッキングサーボをかけるときに支持軸部の軸回り方向へ回動されてディスク状記録媒体の略半径方向であるトラッキング方向へ動作される可動体と、
上記可動体又は固定体の一方に設けられたマグネットと、
上記可動体又は固定体の他方に設けられると共にフォーカシングコイルとトラッキングコイルとから成るコイル体と、
可動体と固定体とを連結し可動体がフォーカシング方向及びトラッキング方向へ動作されたときに弾性変形されると共にフォーカシング方向に略直交する複数の異なる方向から可動体に張力を付与し可動体をトラッキング方向における中立位置及びフォーカシング方向における中立位置に保持するワイヤー状の複数の弾性部材とを備えた
ことを特徴とするディスクドライブ装置。
【請求項４】
上記弾性部材をエラストマーによって形成した
ことを特徴とする請求項３に記載のディスクドライブ装置。
【発明の詳細な説明】
【０００１】
【発明の属する技術分野】
本発明は光ピックアップ及びディスクドライブ装置に関する。詳しくは、対物レンズ駆動装置の動作の信頼性の向上を図る技術分野に関する。
【０００２】
【従来の技術】
光ディスク等のディスク状記録媒体に対して情報信号の記録や再生を行うディスクドライブ装置があり、該ディスクドライブ装置は、ディスクテーブルに装着されるディスク状記録媒体の半径方向へ移動し該ディスク状記録媒体に対して対物レンズを介してレーザー光を照射する光ピックアップを備えている。
【０００３】
光ピックアップはディスク状記録媒体の半径方向へ移動される移動ベースと該移動ベース上に配置された対物レンズ駆動装置とを備えている。
【０００４】
対物レンズ駆動装置には、可動体がワイヤー等のサスペンションを介して固定体に支持されたタイプの他、固定体に設けられた支持軸部の軸方向へ移動自在かつ軸回り方向へ回動自在に可動体が支持された所謂軸摺動型がある。
【０００５】
対物レンズ駆動装置にあっては、ディスク状記録媒体に対する情報信号の記録又は再生が行われるときに、対物レンズを介して照射されるレーザー光のスポットをディスク状記録媒体の記録トラック上に集光させるためにフォーカシングサーボ及びトラッキングサーボが行われる。このとき軸摺動型の対物レンズ駆動装置にあっては、フォーカシングサーボは対物レンズを保持する可動体が支持軸部の軸方向へ移動されることにより行われ、トラッキングサーボは可動体が支持軸部の軸回り方向へ回動されることにより行われる。
【０００６】
従来の軸摺動型の対物レンズ駆動装置の一例として、可動体をフォーカシング方向及びトラッキング方向における中立位置に保持するために、ダンパ部材を用いたものがある（特許文献１参照）。
【０００７】
ダンパ部材は、固定体に取り付けられる固定部と、可動体を支持する支持部と、固定部と支持部とを連結する連結部とが、例えば、シリコンゴムやブチルゴム等の弾性材料によって一体に形成されている。
【０００８】
【特許文献１】
特開平３―５８３３０号公報
【０００９】
【発明が解決しようとする課題】
ところで、上記した軸摺動型の対物レンズ駆動装置にあっては、可動体の被支持孔と支持軸部との間に一定のクリアランスが存在するため、フォーカシングサーボ時及びトラッキングサーボ時に可動体が支持軸部に対してクリアランス分だけ傾く可能性があるが、動作の信頼性確保の点からは可能な限り可動体の傾きがなく可動体が動作されることが望ましい。
【００１０】
ところが、上記した従来の対物レンズ駆動装置にあっては、可動体がダンパ部材の支持部によって１点で支持されているため、可動体がフォーカシング方向又はトラッキング方向へ動作されたときに、可動体の被支持孔と支持軸部との間のクリアランスに起因した傾きが発生し易いという問題がある。
【００１１】
このような可動体の傾きは、可動体と支持軸部との間に大きな摩擦力を発生し可動体の駆動ロスが生じ易くなり、また、感度の変化や可動体の姿勢変化や位置のヒステリシスにより駆動制御が困難になるおそれがある。
【００１２】
また、シリコンゴムやブチルゴム等の弾性材料によって形成された中立用のダンパ部材を用いた場合には、各部にある程度の厚みが必要となるため、その分、ダンパ部材の配置スペースが大きく、対物レンズ駆動装置が大型になり易いという問題がある。
【００１３】
一方、ダンパ部材を板バネによって形成することにより弾性部材の薄型化を図ることも考えられるが、やはり、上記した可動体の傾きという問題は解消することができない。また、ダンパ部材を板バネによって形成する場合には、中立保持のための大きな復元力を得ることが可能である反面、可動体が支持軸部に大きな力量で押し付けられ易く、両者の間の摩擦力が大きくなり易い。
【００１４】
そこで、本発明光ピックアップ及びディスクドライブ装置は、上記した問題点を克服し、対物レンズ駆動装置の動作の信頼性の向上を図ることを課題とする。
【００１５】
【課題を解決するための手段】
本発明光ピックアップ及びディスクドライブ装置は、上記した課題を解決するために、対物レンズ駆動装置に、移動ベースに取り付けられたベース部と該ベース部から対物レンズの光軸方向へ突出して設けられた支持軸部とを有する固定体と、対物レンズを保持し上記支持軸部の軸方向へ移動自在かつ支持軸部の軸回り方向へ回動自在に支持されると共にフォーカシングサーボをかけるときに支持軸部の軸方向へ移動されてディスク状記録媒体の記録面に離接する方向であるフォーカシング方向へ動作されトラッキングサーボをかけるときに支持軸部の軸回り方向へ回動されてディスク状記録媒体の略半径方向であるトラッキング方向へ動作される可動体と、上記可動体又は固定体の一方に設けられたマグネットと、上記可動体又は固定体の他方に設けられると共にフォーカシングコイルとトラッキングコイルとから成るコイル体と、可動体と固定体とを連結し可動体がフォーカシング方向及びトラッキング方向へ動作されたときに弾性変形されると共にフォーカシング方向に略直交する複数の異なる方向から可動体に張力を付与し可動体をトラッキング方向における中立位置及びフォーカシング方向における中立位置に保持するワイヤー状の複数の弾性部材とを設けたものである。
【００１６】
従って、本発明光ピックアップ及びディスクドライブ装置にあっては、複数の弾性部材の張力によって可動体の釣合が保持される。
【００１７】
【発明の実施の形態】
以下に、本発明光ピックアップ及びディスクドライブ装置の実施の形態を添付図面に従って説明する。
【００１８】
ディスクドライブ装置１は、外筐２内に所要の各部材及び各機構が配置されて成る（図１参照）。
【００１９】
外筐２内にはシャーシ３が配置され、該シャーシ３に図示しないスピンドルモーターが取り付けられている。スピンドルモーターのモーター軸にはシャーシ３の上方に位置されたディスクテーブル４が固定されている。
【００２０】
シャーシ３の下面側には、リードスクリュー５とガイド軸６、６とが平行な状態で配置されている。シャーシ３にはピックアップ配置孔３ａが形成され、該ピックアップ配置孔３ａに、光ピックアップ７がディスクテーブル４に装着されるディスク状記録媒体１００の半径方向へ移動可能な状態で配置されている。
【００２１】
光ピックアップ７は移動ベース８と該移動ベース８に設けられた所要の光学要素（光学素子）と移動ベース８上に配置された対物レンズ駆動装置９とを有し、移動ベース８の両端部がそれぞれガイド軸６、６に摺動自在に支持されている。移動ベース８に設けられた光学要素としては、例えば、レーザー光を発光する発光部として機能する発光素子、レーザー光を回折する回折素子、レーザー光を分岐する光分岐素子、レーザー光を平行光束とするコリメーターレンズ、レーザー光を受光する受光部として機能する受光素子等である。
【００２２】
移動ベース８に設けられた図示しないナット部材がリードスクリュー５に螺合されている。移動ベース８に取り付けられた図示しない送りモーターによってリードスクリュー５が回転されると、ナット部材がリードスクリュー５の回転方向に応じた方向へ送られ、光ピックアップ７がガイド軸６、６に案内されてディスクテーブル４に装着されるディスク状記録媒体１００の半径方向へ移動される。
【００２３】
対物レンズ駆動装置９は、固定体１０と該固定体１０に支持された可動体１１とを備えている（図２乃至図６参照）。
【００２４】
固定体１０は、移動ベース８の上面に取り付けられるベース部１２と該ベース部１２から上方へ突出された支持軸部１３とを有している。ベース部１２は、略矩形状を為す本体部１４と、該本体部１４の前端部の左右両側縁からそれぞれ突出された規制突部１５、１５と、本体部１４の後端部の左右方向における中央部から後方へ突出された突出部１６とが、例えば、樹脂材料によって一体に形成されて成る。
【００２５】
本体部１４には上方に開口されたコイル配置穴１４ａが形成され、該コイル配置穴１４ａの底面部１４ｂに支持軸部１３が設けられている。本体部１４の左右両側面には、それぞれ前後に離間して係合凹部１４ｃ、１４ｃ、・・・が形成されている。
【００２６】
規制突部１５、１５は、例えば、本体部１４から前方へ行くに従って互いに離隔する方向へ突出されており、先端部１５ａ、１５ａの上面が本体部１４の上面より上方に位置されている。
【００２７】
規制突部１５、１５の先端部１５ａ、１５ａの上面には、それぞれ取付突部１７、１７が設けられている。取付突部１７は、例えば、略直方体状に形成され、上面及び互いに反対側に位置する両側面に開口された取付溝１７ａを有している（図７参照）。取付溝１７ａの中央部は開口面積が大きくされ、後述する接着剤を溜めるための溜め部１７ｂとして形成されている。取付突部１７の下端部には、取付溝１７ａの開口が形成された両側面に、それぞれ巻回用凹部１７ｃ、１７ｃが形成されている。
【００２８】
突出部１６は、その上面が規制突部１５、１５の先端部１５ａ、１５ａの上面と同じ高さに位置されている（図２参照）。突出部１６の上面には規制突部１５、１５に設けられた取付突部１７、１７と同じ取付突部１７が設けられている。
【００２９】
固定体に設けられた取付突部１７、１７、１７は、支持軸部１３を中心とした放射方向に位置されている。
【００３０】
固定体１０の本体部１４のコイル配置穴１４ａにはヨーク１８が配置されている。ヨーク１８は、例えば、鉄等の磁性金属材料によって形成され、コイル配置穴１４ａの周面部１４ｄに取り付けられている。
【００３１】
ヨーク１８の内周面にはコイル体１９が取り付けられている。コイル体１９はフォーカシングコイル２０とトラッキングコイル２１、２１とから成る。
【００３２】
フォーカシングコイル２０は円弧部２０ａと斜部２０ｂ、２０ｂと縦部２０ｃ、２０ｃと横部２０ｄとから成る。
【００３３】
円弧部２０ａは、例えば、中心角が１８０°以上の円弧状に形成されている。斜部２０ｂ、２０ｂは、それぞれ円弧部２０ａの後端に連続し後方へ行くに従って互いに離間する方向へ傾斜されている。縦部２０ｃ、２０ｃは、それぞれ斜部２０ｂ、２０ｂの後端に連続し前後方向に延びるようにして形成されている。横部２０ｄは、縦部２０ｃ、２０ｃの後端部間を連結するように左右方向に長く形成されている。
【００３４】
トラッキングコイル２１、２１は、それぞれ角筒状に形成され、フォーカシングコイル２０の横部２０ｄの前面に、例えば、接着により左右に並ぶようにして取り付けられている。
【００３５】
可動体１１は可動本体２２に所要の各部材が取り付けられて成る。
【００３６】
可動本体２２は略平板状に形成された主部２３と該主部２３の後半部から下方へ突出された大径部２４と該大径部２４から下方へ突出された小径部２５とが、例えば、樹脂材料によって一体に形成されて成る。
【００３７】
主部２３の前半部には透過孔２３ａが形成され、主部２３の上面には透過孔２３ａを覆うようにして対物レンズ２６が取り付けられている。
【００３８】
可動本体２２には、主部２３の上面と小径部２５の下面との間を貫通する被支持孔２２ａが形成されている。
【００３９】
可動本体２２の主部２３の上面には、固定体１０に設けられた取付突部１７、１７、１７と同じ形状に形成された取付突部２７、２７、２７が設けられている。従って、取付突部２７には取付溝２７ａ、溜め部２７ｂ及び巻回用凹部２７ｃ、２７ｃが形成されている。取付突部２７、２７、２７は被支持孔２２ａを中心とした放射方向に位置されている。取付突部２７、２７、２７は、それぞれ主部２３における対物レンズ２６の直ぐ後側の部分の左右と後端部の左右方向における中央部とに位置されている。
【００４０】
可動本体２２にはマグネット２８が取り付けられている。マグネット２８は円環状に形成され、放射方向において単極着磁され、例えば、外周側がＮ極とされ内周側がＳ極とされている。尚、マグネット２８の着磁は、外周側がＳ極とされ内周側がＮ極とされていてもよい。マグネット２８は小径部２５に外嵌状に取り付けられている。
【００４１】
可動体１１は被支持孔２２ａに支持軸部１３が挿入されることにより、支持軸部１３に、その軸方向へ移動自在かつ軸回り方向へ回動自在に支持される。支持軸部１３の軸方向がディスク状記録媒体１００に対してフォーカシングサーボが行われるフォーカシング方向（図３及び図４に示すＦ−Ｆ方向）であり、ディスク状記録媒体１００の略半径方向がディスク状記録媒体１００に対してトラッキングサーボが行われるトラッキング方向（図３及び図５に示すＴ―Ｔ方向）である。従って、可動体１１は、支持軸部１３の軸方向へ移動されることによりフォーカシング方向へ移動され、支持軸部１３の軸回り方向へ回動されることにより略トラッキング方向へ移動される。
【００４２】
可動体１１が支持軸部１３に支持された状態においては、マグネット２８がフォーカシングコイル２０の円弧部２０ａに沿って配置されている（図６参照）。
【００４３】
固定体１０と可動体１１は弾性部材２９、２９、２９によって連結される。弾性部材２９、２９、２９は、例えば、直径が０．１ｍｍ以下のワイヤー状に形成され、例えば、オレフィン系、ウレタン系、スチレン系又はポリエステル系のエラストマーによって形成されている。
【００４４】
弾性部材２９、２９、２９は、それぞれ一端部２９ａ、２９ａ、２９ａが固定体１０の取付突部１７、１７、１７に取り付けられ、他端部２９ｂ、２９ｂ、２９ｂが可動体１１の取付突部２７、２７、２７に取り付けられる。
【００４５】
以下に、弾性部材２９の取付突部１７、２７への取付手順を説明する（図７乃至図９参照）。尚、弾性部材２９の取付突部１７と取付突部２７への取付は何れも同様の手順で行われるため、例として、取付突部１７に取り付ける場合の例について説明する。
【００４６】
弾性部材２９の一部２９ｃを取付溝１７ａに挿入し、取付溝１７ａから引き出された部分２９ｄを取付突部１７の周囲を覆うように巻回し、再び他の一部２９ｅを取付溝１７ａに挿入する（図７及び図８参照）。次に、取付溝１７ａから引き出された双方の部分２９ｆ、２９ｇを互いに反対側に引っ張って巻回用凹部１７ｃに部分２９ｄを巻き付ける（図９参照）。次いで、取付突部１７の溜め部１７ｂに、例えば、紫外線硬化型の接着剤３０を滴下し、紫外線を照射することにより取付溝１７ａに挿入した一部２９ｃ、２９ｅを取付突部１７に接着する（図９参照）。
【００４７】
弾性部材２９の取付突部２７に対する取付も取付突部１７に対する取付と同様にして行われ、可動体１１が固定体１０に弾性部材２９、２９、２９を介して支持される（図５参照）。可動体１１は弾性部材２９、２９、２９の張力によって釣り合い、弾性部材２９、２９、２９は、何れも固定体１０の支持軸部１３の軸方向と直交する平面内に位置される。
【００４８】
以下に、可動体１１の釣合状態の一例を示す（図１０参照）。
【００４９】
可動体１１の重量は１００ｍｇ乃至２００ｍｇであり、前方側（対物レンズ２６側）の弾性部材２９、２９は後方側の弾性部材２９に対して４２．１５°傾斜されている。弾性部材２９、２９、２９はウレタンポリマーによって形成され、弾性係数Ｅが３０ＭＰａ、直径ｄが０．０６ｍｍ、長さｌが２．５ｍｍとされている。可動体１１がフォーカシング方向及びトラッキング方向における中立位置に保持されている状態において、前側の弾性部材２９、２９の張力Ｔ１、Ｔ２がそれぞれ０．８５ｇｆ、後側の弾性部材２９の張力Ｔ３が０．８５ｃｏｓθ×２により約１．２６ｇｆとされている。
【００５０】
尚、可動体１１のフォーカシング方向における最大移動量は中立位置を基準として±０．７５ｍｍ、トラッキング方向における最大回動角度は中立位置を基準として±６°に設定されている。
【００５１】
可動体１１は、フォーカシング方向に動作される前の状態においては、フォーカシング方向における中立位置に弾性部材２９、２９、２９によって保持され（図４及び図６参照）、トラッキング方向に動作される前の状態においては、トラッキング方向における中立位置に弾性部材２９、２９、２９によって保持される（図５参照）。
【００５２】
固定体１０にはカバー体３１が取り付けられる（図２、図３及び図６参照）。カバー体３１は天板部３２と該天板部３２の左右両端縁に連続した側板部３３、３３とが、例えば、板状の弾性を有する樹脂材料によって形成されている。
【００５３】
天板部３２には軸挿入孔３２ａが形成されている。
【００５４】
側板部３３、３３にはそれぞれ前後に離間して係合片３３ａ、３３ａ、・・・が形成され、該係合片３３ａ、３３ａ、・・・は切り起こされて形成され、それぞれ上縁が下縁より内側に位置するように傾斜されている。
【００５５】
カバー体３１は、側板部３３、３３の係合片３３ａ、３３ａ、・・・がそれぞれ本体部１４の係合凹部１４ｃ、１４ｃ、・・・に係合されて固定体１０に取り付けられる。
【００５６】
カバー体３１の固定体１０への取付は、カバー体３１を固定体１０の上方から下方へ移動させることにより行う。カバー体３１を下方へ移動させると、内側へ傾斜されている係合片３３ａ、３３ａ、・・・が本体部１４の側面と摺接して略垂直となるように弾性変形され、係合凹部１４ｃ、１４ｃ、・・・に対応して位置されたところで係合片３３ａ、３３ａ、・・・が弾性復帰してそれぞれ係合凹部１４ｃ、１４ｃ、・・・の上側開口縁に係合される。このようにカバー体３１の固定体１０への取付は、カバー体３１を固定体１０の上方から下方へ移動させることにより行うことができ、取付が容易であり対物レンズ駆動装置９の組立工程における作業性の向上を図ることができる。
【００５７】
カバー体３１が固定体１０に取り付けられた状態においては、天板部３２の軸挿入孔３２ａに可動体１１の被支持孔２２ａを貫通された支持軸部１３の上端部が嵌合される。
【００５８】
以下に、ディスクドライブ装置１の動作について説明する。
【００５９】
ディスク状記録媒体１００がディスクテーブル４に装着され図示しない記録スイッチ又は再生スイッチが操作されると、スピンドルモーターの駆動によるディスクテーブル４の回転に伴ってディスク状記録媒体１００が回転される。ディスク状記録媒体１００が回転されると、移動ベース８に設けられた発光素子からレーザー光が出射され対物レンズ２６を介してディスク状記録媒体１００の記録面に照射される。
【００６０】
ディスク状記録媒体１００の記録面に照射されたレーザー光は当該記録面で反射され、移動ベース８に設けられた受光素子に入射され、光電変換されて情報信号の記録又は再生が行われる。
【００６１】
情報信号の記録又は再生が行われるときには、対物レンズ駆動装置９によってフォーカシングサーボ及びトラッキングサーボが行われる。
【００６２】
フォーカシングサーボ時には、対物レンズ２６を介して照射されるレーザー光のスポットをディスク状記録媒体１００の記録トラックに集光させるために、図示しない電流供給部からフォーカシングコイル２０に駆動電流が供給され、駆動電流の向きに応じて可動体１１が中立位置を基準としてフォーカシング方向へ動作される。
【００６３】
可動体１１がフォーカシング方向へ動作されたときには、弾性部材２９、２９、２９が弾性変形される（図１１参照）。
【００６４】
フォーカシングコイル２０への駆動電流の供給が停止されると、弾性部材２９、２９、２９が弾性復帰されてフォーカシング方向へ動作されていた可動体１１がフォーカシング方向における中立位置に保持される（図４参照）。
【００６５】
一方、トラッキングサーボ時には、対物レンズ２６を介して照射されるレーザー光のスポットをディスク状記録媒体１００の記録トラックに集光させるために、図示しない電流供給部からトラッキングコイル２１、２１に駆動電流が供給され、駆動電流の向きに応じて可動体１１が中立位置を基準としてトラッキング方向へ動作される。
【００６６】
可動体１１がトラッキング方向へ動作されたときには、弾性部材２９、２９、２９が弾性変形される（図１２参照）。
【００６７】
トラッキングコイル２１、２１への駆動電流の供給が停止されると、弾性部材２９、２９、２９が弾性復帰されてトラッキング方向へ動作されていた可動体１１がトラッキング方向における中立位置に保持される（図５参照）。
【００６８】
尚、振動等によって可動体１１がフォーカシング方向又はトラッキング方向に大きく移動される可能性があるが、可動体１１のフォーカシング方向における不必要な移動は固定体１０のベース部１２の底面部１４ｂ及びカバー体３１の天板部３２によって防止され、可動体１１のトラッキング方向における不必要な移動は固定体１０の規制突部１５、１５によって防止される。
【００６９】
以上に記載した通り、ディスクドライブ装置１にあっては、弾性部材２９、２９、２９によってフォーカシング方向に略直交する複数の異なる方向から可動体に張力を付与して該可動体１１をトラッキング方向における中立位置及びフォーカシング方向における中立位置に保持している。
【００７０】
従って、可動体１１の被支持孔２２ａと支持軸部１３との間に存在するクリアランスに起因する可動体１１の支持軸部１３に対する傾き変化が低減され、対物レンズ駆動装置９の動作の信頼性を確保することができる。
【００７１】
また、可動体１１の支持軸部１３に対する傾き変化が低減されるため、可動体１１と支持軸部１３との間の摩擦力が小さくなり、駆動ロスが低減される他、感度の変化や可動体の姿勢変化や位置のヒステリシスが生じ難く、対物レンズ駆動装置９の駆動制御の容易化を図ることができる。
【００７２】
尚、可動体１１と支持軸部１３との間の摩擦力の一層の低減を図るために、摩擦係数が０．１以下となるような材料によって可動体１１と支持軸部１３を形成することが望ましい。
【００７３】
また、可動体１１の被支持孔２２ａの周面や支持軸部１３の周面に摩擦係数が小さくなるような材料、例えば、フッ化エチレン樹脂（ＰＴＥＦ）等を塗布して可動体１１の支持軸部１３に対する良好な摺動性を確保することもできる。
【００７４】
ディスクドライブ装置１にあっては、対物レンズ駆動装置９にワイヤー状の弾性部材２９、２９、２９を用いているため、これらの張力の調整により可動体１１と支持軸部１３との間に発生する摩擦力を低減することができ、対物レンズ駆動装置９の駆動制御の容易化を図ることができる。
【００７５】
また、可動体１１の中立位置への保持をワイヤー状の弾性部材２９、２９、２９を用いて行っているため、弾性部材２９、２９、２９の占有面積が小さく、対物レンズ駆動装置９の小型化を図ることができる。
【００７６】
さらに、弾性部材２９、２９、２９の材料としてエラストマーを用いることにより、材料の選択の余地が大きく、また、可動体１１の中立位置への保持を確実に行うことができる。
【００７７】
尚、上記には、可動体１１にマグネット２８を取り付け固定体１０にコイル体１９を取り付けた例を示したが、逆に、固定体１０にマグネット２８を取り付け可動体１１にコイル体１９を取り付けてもよい。
【００７８】
また、上記には、カバー体３１を樹脂材料によって形成した例を示したが、これに代えてカバー体３１を金属等の磁性材料によって形成することもできる。カバー体３１を磁性材料によって形成した場合には、マグネット２８によって発生する磁束の外部への漏れを防止することができる。
【００７９】
さらに、上記には、固定体１０を樹脂材料によって形成しヨーク１８を設けた例を示したが、これに代えて固定体１０を金属等の磁性材料によって形成することもできる。固定体１０を磁性材料によって形成した場合には、固定体１０をヨークとして機能させることができるため、別部材としてのヨーク１８が不要となり部品点数を削減することができる。但し、固定体１０のベース部１２の底面部１４ｂはマグネット２８の吸着を回避するために、非磁性材料によって形成することが望ましい。
【００８０】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００８１】
【発明の効果】
以上に記載したところから明らかなように、本発明光ピックアップは、ディスクテーブルに装着されるディスク状記録媒体の半径方向へ移動される移動ベースと、該移動ベースに設けられディスク状記録媒体の記録面へ向けてレーザー光を発光する発光部と、移動ベースに設けられディスク状記録媒体の記録面で反射されたレーザー光を戻り光として受光する受光部と、発光部から発光されたレーザー光をディスク状記録媒体の記録面に集光する対物レンズを保持すると共に移動ベースに配置された対物レンズ駆動装置とを備えた光ピックアップであって、上記対物レンズ駆動装置は、上記移動ベースに取り付けられたベース部と該ベース部から対物レンズの光軸方向へ突出して設けられた支持軸部とを有する固定体と、対物レンズを保持し上記支持軸部の軸方向へ移動自在かつ支持軸部の軸回り方向へ回動自在に支持されると共にフォーカシングサーボをかけるときに支持軸部の軸方向へ移動されてディスク状記録媒体の記録面に離接する方向であるフォーカシング方向へ動作されトラッキングサーボをかけるときに支持軸部の軸回り方向へ回動されてディスク状記録媒体の略半径方向であるトラッキング方向へ動作される可動体と、上記可動体又は固定体の一方に設けられたマグネットと、上記可動体又は固定体の他方に設けられると共にフォーカシングコイルとトラッキングコイルとから成るコイル体と、可動体と固定体とを連結し可動体がフォーカシング方向及びトラッキング方向へ動作されたときに弾性変形されると共にフォーカシング方向に略直交する複数の異なる方向から可動体に張力を付与し可動体をトラッキング方向における中立位置及びフォーカシング方向における中立位置に保持するワイヤー状の複数の弾性部材とを備えたことを特徴とする。
【００８２】
従って、可動体と支持軸部との間に存在するクリアランスに起因する可動体の支持軸部に対する傾き変化が低減され、対物レンズ駆動装置の動作の信頼性を確保することができる。
【００８３】
また、可動体の支持軸部に対する傾き変化が低減されるため、可動体と支持軸部との間の摩擦力が小さくなり、駆動ロスが低減される他、感度の変化や可動体の姿勢変化や位置のヒステリシスが生じ難く、対物レンズ駆動装置の駆動制御の容易化を図ることができる。
【００８４】
さらに、ワイヤー状の弾性部材を用いているため、これらの張力の調整により可動体と支持軸部との間に発生する摩擦力を低減することができ、対物レンズ駆動装置の駆動制御の容易化を図ることができる。
【００８５】
加えて、可動体の中立位置への保持をワイヤー状の弾性部材を用いて行っているため、弾性部材の占有面積が小さく、対物レンズ駆動装置の小型化を図ることができる。
【００８６】
請求項２に記載した発明にあっては、上記弾性部材をエラストマーによって形成したので、材料の選択の余地が大きく、また、可動体の中立位置への保持を確実に行うことができる。
【００８７】
本発明ディスクドライブ装置は、ディスクテーブルに装着されるディスク状記録媒体の半径方向へ移動される移動ベースと、該移動ベースに設けられディスク状記録媒体の記録面へ向けてレーザー光を発光する発光部と、移動ベースに設けられディスク状記録媒体の記録面で反射されたレーザー光を戻り光として受光する受光部と、発光部から発光されたレーザー光をディスク状記録媒体の記録面に集光する対物レンズを保持すると共に移動ベースに配置された対物レンズ駆動装置とを有する光ピックアップを備えたディスクドライブ装置であって、上記対物レンズ駆動装置は、上記移動ベースに取り付けられたベース部と該ベース部から対物レンズの光軸方向へ突出して設けられた支持軸部とを有する固定体と、対物レンズを保持し上記支持軸部の軸方向へ移動自在かつ支持軸部の軸回り方向へ回動自在に支持されると共にフォーカシングサーボをかけるときに支持軸部の軸方向へ移動されてディスク状記録媒体の記録面に離接する方向であるフォーカシング方向へ動作されトラッキングサーボをかけるときに支持軸部の軸回り方向へ回動されてディスク状記録媒体の略半径方向であるトラッキング方向へ動作される可動体と、上記可動体又は固定体の一方に設けられたマグネットと、上記可動体又は固定体の他方に設けられると共にフォーカシングコイルとトラッキングコイルとから成るコイル体と、可動体と固定体とを連結し可動体がフォーカシング方向及びトラッキング方向へ動作されたときに弾性変形されると共にフォーカシング方向に略直交する複数の異なる方向から可動体に張力を付与し可動体をトラッキング方向における中立位置及びフォーカシング方向における中立位置に保持するワイヤー状の複数の弾性部材とを備えたことを特徴とする。
【００８８】
従って、可動体と支持軸部との間に存在するクリアランスに起因する可動体の支持軸部に対する傾き変化が低減され、対物レンズ駆動装置の動作の信頼性を確保することができる。
【００８９】
また、可動体の支持軸部に対する傾き変化が低減されるため、可動体と支持軸部との間の摩擦力が小さくなり、駆動ロスが低減される他、感度の変化や可動体の姿勢変化や位置のヒステリシスが生じ難く、対物レンズ駆動装置の駆動制御の容易化を図ることができる。
【００９０】
さらに、ワイヤー状の弾性部材を用いているため、これらの張力の調整により可動体と支持軸部との間に発生する摩擦力を低減することができ、対物レンズ駆動装置の駆動制御の容易化を図ることができる。
【００９１】
加えて、可動体の中立位置への保持をワイヤー状の弾性部材を用いて行っているため、弾性部材の占有面積が小さく、対物レンズ駆動装置の小型化を図ることができる。
【００９２】
請求項４に記載した発明にあっては、上記弾性部材をエラストマーによって形成したので、材料の選択の余地が大きく、また、可動体の中立位置への保持を確実に行うことができる。
【図面の簡単な説明】
【図１】図２乃至図１２と共に本発明の実施の形態を示すものであり、本図はディスクドライブ装置の概略斜視図である。
【図２】対物レンズ駆動装置の分解斜視図である。
【図３】対物レンズ駆動装置の拡大斜視図である。
【図４】一部を切り欠きカバー体を取り外して示す対物レンズ駆動装置の拡大側面図である。
【図５】カバー体を取り外して示す対物レンズ駆動装置の拡大平面図である。
【図６】対物レンズ駆動装置の拡大断面図である。
【図７】図８及び図９と共に弾性部材の取付突部への取付手順を示すものであり、本図は取付前の状態を示す拡大斜視図である。
【図８】取付途中の状態を示す拡大斜視図である。
【図９】取付後の状態を示す拡大斜視図である。
【図１０】可動体の釣合状態の一例を示す概念図である。
【図１１】可動体がフォーカシング方向へ動作されたときの状態を一部を切り欠いて示す拡大側面図である。
【図１２】可動体がトラッキング方向へ動作されたときの状態を示す拡大平面図である。
【符号の説明】
１…ディスクドライブ装置、４…ディスクテーブル、７…光ピックアップ、８…移動ベース、９…対物レンズ駆動装置、１０…固定体、１１…可動体、１２…ベース部、１３…支持軸部、１９…コイル体、２０…フォーカシングコイル、２１…トラッキングコイル、２６…対物レンズ、２８…マグネット、２９…弾性部材、１００…ディスク状記録媒体
【図１】
2004139645.tif 000003
【図２】
2004139645.tif 000004
【図３】
2004139645.tif 000005
【図４】
2004139645.tif 000006
【図５】
2004139645.tif 000007
【図６】
2004139645.tif 000008
【図７】
2004139645.tif 000009
【図８】
2004139645.tif 000010
【図９】
2004139645.tif 000011
【図１０】
2004139645.tif 000012
【図１１】
2004139645.tif 000013
【図１２】
2004139645.tif 000014